(57)【要約】【課題】  設備コストが安いとともに、塵芥の後処理も不要な小河川等の取水路に適した簡易型の除塵装置を提供する。【解決手段】  本流水路１から分岐された取水路２の流入口３に、本流の上下流方向と平行な横バー式スクリーン４が設置され、この横バー式スクリーン４の本流側の面に、横バー式スクリーン４に沿って往復移動可能なレーキ６が設けられている。横バー式スクリーン４は、本流の上下流方向の円弧状に形成され、前記レーキ６は、横バー式スクリーン４の円弧の中心位置を旋回支点する旋回アーム９の先端に支持されて、横バー式スクリーン４の円弧に沿って往復移動可能である。【選択図】  図１
2006045840.tif 000002
【特許請求の範囲】
【請求項１】
本流水路から分岐された取水路の流入口に、本流の上下流方向と平行な横バー式スクリーンが設置され、この横バー式スクリーンの本流側の面に、横バー式スクリーンに沿って往復移動可能なレーキが設けられていることを特徴とする除塵装置。
【請求項２】
前記横バー式スクリーンは、本流の上下流方向の円弧状に形成され、前記レーキは、横バー式スクリーンの円弧に沿って往復移動可能であることを特徴とする請求項１記載の除塵装置。
【請求項３】
前記横バー式スクリーンの円弧の中心位置を旋回支点とする旋回アームが設けられ、この旋回アームの先端に前記レーキの上部が支持されていることを特徴とする請求項２に記載の除塵装置。
【請求項４】
前記旋回アームは、手動若しくは自動の駆動源で往復旋回されることを特徴とする請求項３に記載の除塵装置。
【請求項５】
前記レーキは、本流の上下流方向の台形状に形成されていることを特徴とする請求項１〜４のいずれか１項に記載の除塵装置。
【請求項６】
前記レーキの下部に、前記横バー式スクリーンの下部でガイドされるガイドローラが設けられていることを特徴とする請求項３〜５のいずれか１項に記載の除塵装置。
【発明の詳細な説明】
【技術分野】
【０００１】
本発明は、小河川等の取水路に適した簡易型の除塵装置に関する。
【背景技術】
【０００２】
従来、除塵装置としては、水路に縦バー式スクリーンを設置して、この縦バー式スクリーンの上流側の面に、縦バー式スクリーンに沿って上下移動可能なレーキを設けて、このレーキで縦バー式スクリーンの塵芥を掻き上げるようにしたものがある（特許文献１参照）。
【特許文献１】特開２００２−２０６２２８号公報
【発明の開示】
【発明が解決しようとする課題】
【０００３】
しかしながら、特許文献１のような技術では、小河川等の取水路に設置する設備としては、設備規模が大きいのでコストが非常に高くなるとともに、掻き上げた塵芥の後処理に困るという問題があった。
【０００４】
本発明は、前記問題を解消するためになされたもので、設備コストが安いとともに、塵芥の後処理も不要な小河川等の取水路に適した簡易型の除塵装置を提供することを課題とするものである。
【課題を解決するための手段】
【０００５】
前記課題を解決するために、請求項１の発明は、本流水路から分岐された取水路の流入口に、本流の上下流方向と平行な横バー式スクリーンが設置され、この横バー式スクリーンの本流側の面に、横バー式スクリーンに沿って往復移動可能なレーキが設けられていることを特徴とするものである。
【０００６】
請求項２の発明は、請求項１記載の発明において、前記横バー式スクリーンは、本流の上下流方向の円弧状に形成され、前記レーキは、横バー式スクリーンの円弧に沿って往復移動可能であることを特徴とするものである。
【０００７】
請求項３の発明は、請求項２に記載の発明において、前記横バー式スクリーンの円弧の中心位置を旋回支点とする旋回アームが設けられ、この旋回アームの先端に前記レーキの上部が支持されていることを特徴とするものである。
【０００８】
請求項４の発明は、請求項３に記載の発明において、前記旋回アームは、手動若しくは自動の駆動源で往復旋回されることを特徴とするものである。
【０００９】
請求項５の発明は、請求項１〜４のいずれか１項に記載の発明において、前記レーキは、本流の上下流方向の台形状に形成されていることを特徴とするものである。
【００１０】
請求項６の発明は、請求項３〜５のいずれか１項に記載の発明において、前記レーキの下部に、前記横バー式スクリーンの下部でガイドされるガイドローラが設けられていることを特徴とするものである。
【発明の効果】
【００１１】
請求項１の発明によれば、取水路の流入口に横バー式スクリーンを設置して、この横バー式スクリーンの本流側の面に、横バー式スクリーンに沿って往復移動可能なレーキを設けたから、レーキの移動で横バー式スクリーンから掻き落とされた塵芥は、本流によって自然に下流側に押し流されるので、塵芥を掻き上げる必要が無くなる。したがって、小さな取水路に設置する設備としては、簡易で設備コストが安くなるとともに、塵芥の後処理も不要になる。
【００１２】
請求項２の発明によれば、横バー式スクリーンを円弧状に形成して、レーキを横バー式スクリーンの円弧に沿って往復移動可能に設けたから、レーキの移動に伴って横バー式スクリーンからスムーズに塵芥を掻き落とすことができる。
【００１３】
請求項３の発明によれば、旋回アームの往復旋回でレーキを往復移動させることができるから、レーキの往復移動が簡単かつスムーズに行える。
【００１４】
請求項４の発明によれば、手動のハンドル若しくは自動の電動モータ等の駆動源によって、旋回アームをスムーズに往復旋回させることができる。
【００１５】
請求項５の発明によれば、レーキを台形状に形成したから、掻き戻し時に水流や塵芥の抵抗を受けにくくなるので、レーキの往復移動がスムーズに行える。
【００１６】
請求項６の発明によれば、レーキのガイドローラを横バー式スクリーンの下部でガイドするようにしたから、レーキの上下流方向の歪みを防止できるようになる。
【発明を実施するための最良の形態】
【００１７】
以下、本発明を実施するための最良の形態について、図面を参照しながら詳細に説明する。
【００１８】
図１は除塵装置１の平面図、図２（ａ）は除塵装置の正面図、同図（ｂ）は除塵装置の側面図である。
【００１９】
本流水路１からＴ字型に分岐された取水路２が設けられて、本流水路１の本流ａの一部が取水路２に取水ｂされるようになる。
【００２０】
前記取水路２の流入口３には、本流ａの上下流方向と平行な横バー式スクリーン４が設置されている。この横バー式スクリーン４は、図３に示すように、バー材４ａを中実材４ｄで支持するとともに、間隔材４ｅで上下方向に一定の隙間を隔てて横向き（上下流方向）に配列したもので、この隙間から本流ａの一部が取水路２に取水ｂされるとともに、各バー材４ａによって、本流ａとともに流れてきた塵芥が取水路２に入り込まないように阻止している。したがって、この横バー式スクリーン４の本流ａ側の面に塵芥が留まると、取水路２の取水量が低下するので、これを除去（除塵）する必要がある。
【００２１】
前記横バー式スクリーン４は、取水路２の流入口３よりも本流水路１側に突出して、本流ａの上下流方向の円弧状に形成されている。
【００２２】
前記横バー式スクリーン４の本流ａ側の面には、横バー式スクリーン４の円弧に沿ってワイパー状に往復移動（矢印ｃ参照）可能なレーキ６が設けられている。
【００２３】
前記レーキ６は、横バー式スクリーン４の高さよりもやや上下方向に長く設定されて、図３（ａ）（ｂ）に詳細に示すように、各バー材４ａの間に入り込む爪６ａを有している。このレーキ６は、横バー式スクリーン４の円弧に沿って往復移動することにより、各爪６ａで、横バー式スクリーン４の本流ａ側の面に留まった塵芥を掻き落とすようになる。
【００２４】
前記レーキ６は、図３（ａ）の平面視で、本流ａの上下流方向の台形状に形成されて、その両端部に爪６ａを有している。
【００２５】
前記取水路２の左右側壁２ａ，２ｂの上部に跨って基台７が取付けられ、この基台７の上部には、前記横バー式スクリーン４の円弧の中心位置を旋回軸８で支持されて、この旋回軸８を旋回支点とする旋回アームが９設けられている。
【００２６】
この旋回アーム９の先端には、前記レーキ６の上部６ｂが片持ち支持されている。
【００２７】
前記レーキ６の上部６ｂには、図４（ｂ）に詳細に示すように、横バー式スクリーン４の上部フレーム４ｂに当接して転動する上ガイドローラ１０が設けられ、この上ガイドローラ１０でレーキ６の荷重を受けることで、旋回アーム９がスムーズに往復旋回するようになる。
【００２８】
また、前記レーキ６の下部には、横バー式スクリーン４の下部フレーム４ｃのレール１２でガイドされるツバ付きの下ガイドローラ１１が設けられている。この下ガイドローラ１１のツバは、レール１２を両側から挟み込むようになる。
【００２９】
前記基台７の一側（図１では右側）には、手動のハンドル１４のギヤボックス１５が取付けられ、このギヤボックス１５の内部には、例えば一対の傘歯車が収納されて、一方の傘歯車にハンドル１４が連結されるとともに、他方の傘歯車にねじ軸（スピンドル）１６が連結されている。
【００３０】
前記ねじ軸１６は、前記旋回アーム９の上面で垂直軸回りに軸部１７ａで回動可能に支持されたナット部材１７に螺合されている。
【００３１】
したがって、ハンドル１４を左回りまたは右回りに回転操作すると、ギヤボックス１５の傘歯車を介してねじ軸１６が回転し、この回転するねじ軸１６でナット部材１７が押し・引きされることにより、旋回アーム９が往復旋回されるようになる。
【００３２】
前記のように除塵装置を構成すれば、取水路２の流入口３に横バー式スクリーン４を設置して、この横バー式スクリーン４の本流ａ側の面に、横バー式スクリーン４に沿って往復移動可能なレーキ６を設けたから、レーキ６の移動で横バー式スクリーン４から掻き落とされた塵芥は、本流ａによって自然に下流側に押し流されるので、塵芥を掻き上げる必要が無くなる。
【００３３】
したがって、小さな取水路２に設置する設備としては、簡易で設備コストが安くなるとともに、塵芥の後処理も不要になる。
【００３４】
また、横バー式スクリーン４を円弧状に形成して、レーキ６を横バー式スクリーン４の円弧に沿って往復移動させるようにしたから、レーキ６の移動に伴って横バー式スクリーン４からスムーズに塵芥を掻き落とすことができる。
【００３５】
さらに、旋回アーム９の往復旋回でレーキ６を往復移動させるようにしたから、レーキ６の往復移動が簡単かつスムーズに行える。
【００３６】
また、レーキ６を台形状に形成したから、掻き戻し時に水流や塵芥の抵抗を受けにくくなるので、レーキ６の往復移動がスムーズに行える。
【００３７】
さらに、レーキ６の下ガイドローラ１１を横バー式スクリーン４の下部のレール１２でガイドするようにしたから、レーキ６の上下流方向の歪みを防止できるようになる。この下ガイドローラ１１のツバは、レール１２を両側から挟み込むから、レーキ６の下部の内外方向の移動を阻止できるようになる。
【００３８】
前記実施形態では、旋回アーム９を手動のハンドル１４で旋回操作するようにしたから、旋回アーム９を軽力でスムーズに往復旋回させることができ、駆動源は手動のハンドル１４であるから、装置コストも安価である。
【００３９】
前記ハンドル１４の回転操作に、電動モータを利用して回転操作可能な簡易電動補助装置を用いることもできる。
【００４０】
また、前記ハンドル１４に代えて、電動モータでねじ軸１６を自動的に回転させることもできる。この場合、横バー式スクリーン４の本流ａ側と取水ｂ側とに水位計をそれぞれ設置して、水位差が生じたときに電動モータを駆動させれば、除塵装置の自動運転が可能になる。
【００４１】
さらに、前記実施形態では、旋回アーム９をねじ軸１６とナット部材１７とを用いて旋回させるスピンドル式であったが、ラック式、チェーン式、油圧シリンダー式、ワイヤーロープ式等の駆動方式を適宜採用することができる。
【図面の簡単な説明】
【００４２】
【図１】除塵装置の平面図である。
【図２】除塵装置であり、（ａ）は正面図、（ｂ）は側面図である。
【図３】横バー式スクリーンとレーキであり、（ａ）は平面図、（ｂ）は側面断面図である。
【図４】上ガイドローラと下ガイドローラの側面図である。
【符号の説明】
【００４３】
１    本流水路
２    取水路
３    流入口
４    横バー式スクリーン
４ｂ  上部フレーム
４ｃ  下部フレーム
６    レーキ
６ｂ  上部
６ｃ  下部
８    旋回軸（旋回支点）
９    旋回アーム
１０  上ガイドローラ
１１  下ガイドローラ
１４  ハンドル（駆動源）
１６  ねじ軸
１７  ナット部材
ａ    本流
ｂ    取水
【図１】
2006045840.tif 000003
【図２】
2006045840.tif 000004
【図３】
2006045840.tif 000005
【図４】
2006045840.tif 000006